(57)【要約】【課題】  開口率を向上させるようにした発光表示装置及び発光表示装置による駆動方法を提供する。【解決手段】  発光表示装置は，行方向で形成される複数の走査線及び発光制御線と，列方向で形成されるデータ線と，上記走査線，発光制御線及びデータ線に電気的に接続される複数の画素回路（１４０）を含む画像表示部（３０）とを具備し，上記画素回路（１４０）各々は互いに異なる二つの行ラインに位置される二つの発光素子に接続され，上記発光制御線は上記二つの行ラインに位置される発光素子へジグザグの形態で接続される。【選択図】    図４
2006091872.tif 000002
【特許請求の範囲】
【請求項１】
行方向に形成される複数の走査線及び発光線と；
列方向に形成される複数のデータ線と；
前記走査線，発光制御線，およびデータ線に電気的に接続される複数の画素回路を含む画素表示部とを具備し，
前記画素回路各々は互いに異なる二つの行ラインに位置する二つの発光素子と接続し，
前記発光制御線は，前記二つの行ラインに位置する発光素子にジグザグ形態で接続されることを特徴とする，発光表示装置。
【請求項２】
前記走査線は，二つの行ラインごとに一つずつ設置され，前記画素回路に接続されることを特徴とする，請求項１に記載の発光表示装置。
【請求項３】
前記発光制御線は，各々の行ラインごとに設置され，前記画素回路に接続されることを特徴とする，請求項２に記載の発光表示装置。
【請求項４】
前記画素回路各々は，前記走査線とデータ線に接続される駆動手段と；
前記二つの発光素子のうち，第１発光素子と前記駆動手段の間に接続される第１順次制御手段と；
前記二つの発光素子のうち，第２発光素子と前記駆動手段の間に接続される第２順次制御手段とを具備することを特徴とする，請求項１に記載の発光表示装置。
【請求項５】
第ｉ−１（ｉは自然数）発光制御線は，第ｉ−１行ラインに位置する第１順次制御手段のうち，奇数番目の垂直ラインに位置する第１順次手段と接続し，第１行ラインに位置する第２順次制御手段のうち，偶数番目の垂直ラインに位置する第２順次制御手段と接続することを特徴とする，請求項４に記載の発光表示装置。
【請求項６】
第ｉ発光制御線は，第ｉ−１行ラインに位置する第１順次制御手段のうち，偶数番目の垂直ラインに位置する第１順次制御手段と接続し，第ｉ行ラインに位置する第２順次制御手段のうち，奇数番目の垂直ラインに位置する第２順次制御手段と接続することを特徴とする，請求項５に記載の発光表示装置。
【請求項７】
第ｉ−１（ｉは自然数）発光制御線は，第ｉ−１行ラインに位置する第１順次制御手段のうち，偶数番目の垂直ラインに位置する第１順次制御手段に接続され，第ｉ行ラインに位置される第２順次制御手段のうち，奇数番目の垂直ラインに位置する第２順次制御手段と接続することを特徴とする，請求項４に記載の発光表示装置。
【請求項８】
第ｉ発光制御線は，第ｉ−１行ラインに位置する第１順次制御手段のうち，奇数番目の垂直ラインに位置する第１順次制御手段と接続し，第ｉ行ラインに位置する第２順次制御手段のうち，偶数番目の垂直ラインに位置する第２順次制御手段と接続することを特徴とする，請求項７に記載の発光表示装置。
【請求項９】
前記駆動手段は，前記走査線とデータ線とに接続する第１トランジスタと；
前記データ線から供給されるデータ信号に対応する電圧を充電するためのストレージキャパシタと；
前記ストレージキャパシタに充電された電圧に対応する電流を供給するための第２トランジスタとを具備することを特徴とする，請求項４に記載の発光表示装置。
【請求項１０】
前記第１順次制御手段は，前記第２トランジスタと前記第１発光素子との間に設置される第３トランジスタを具備することを特徴とする，請求項９に記載の発光表示装置。
【請求項１１】
前記第２順次制御手段は，前記第２トランジスタと前記第２発光素子との間に設置される第４トランジスタを具備することを特徴とする，請求項９に記載の発光表示装置。
【請求項１２】
複数の走査線及び発光制御線を駆動するための走査駆動部と；
外部から供給される第１データを再整列して第２データを生成するためのマッピング部と；
前記第２データを利用してデータ信号を生成し，複数のデータ線に前記データ信号を供給するためのデータ駆動部と；
前記走査線，発光制御線，及びデータ線と電気的に接続される複数の画素回路を含む画素表示部とを具備し，
前記マッピング部は互いに異なる二つの行ラインに位置される発光素子にジグザグ状に前記データ信号が供給されるように前記第２データを生成することを特徴とする，発光表示装置。
【請求項１３】
前記画素回路は，一つの走査線及び二つの発光制御線と電気的に接続することを特徴とする，請求項１２に記載の発光表示装置。
【請求項１４】
１フレームは少なくとも二つのフィールドに分けられ，前記画素回路は駆動することを特徴とする，請求項１３に記載の発光表示装置。
【請求項１５】
前記走査駆動部は，前記各々のフィールドごとに前記走査線に順次的に走査信号を供給することを特徴とする，請求項１４に記載の発光表示装置。
【請求項１６】
前記走査駆動部は，前記二つのフィールドのうち，第１フィールド期間の間，前記走査線に走査信号が順次的に供給される時，発光制御線のうち，奇数番目の発光制御線に順次的にターンオン信号を供給し，前記第２フィールド期間の間，前記走査線に走査信号が順次的に供給される時，発光制御線のうち，偶数番目の発光制御線に順次的に前記ターンオン信号を供給することを特徴とする，請求項１５に記載の発光表示装置。
【請求項１７】
前記走査駆動部は，前記二つのフィールドのうち，第１フィールド期間の間，前記走査線に走査線信号が順次的に供給されるとき，発光制御線のうち，偶数番目の発光制御線に順次的にターンオン信号を供給し，前記第２フィールド期間の間，前記走査線に走査信号が順次的に供給されるとき，発光制御線のうち，奇数番目の発光制御線に順次的に前記ターンオン信号を供給することを特徴とする，請求項１５に記載の発光表示装置。
【請求項１８】
前記ターンオン信号の供給期間は，前記各々のフィールド期間よりも短く設定されることを特徴とする，請求項１６に記載の発光表示装置。
【請求項１９】
前記マッピング部は，各々一行ライン分の第１データを保存するための第１ラインメモリ及び第２ラインメモリと；
前記第１ラインメモリに保存された第１データのうち，一部のデータを抽出するための第１抽出部と；
前記第２ラインメモリに保存された第２データのうち，一部のデータを抽出するための第２抽出部と；
前記第１抽出部及び第２抽出部から抽出されたデータを再整列して前記第２データを生成するための整列部とを具備することを特徴とする，請求項１４に記載の発光表示装置。
【請求項２０】
前記二つのフィールドのうち，第１フィールド期間の間，
前記第１抽出部は，前記第１ラインメモリに保存された第１データのうち，奇数番目のデータラインに供給される第１データを抽出し，
前記第２抽出部は前記第２ラインメモリに保存された第２データのうち，偶数番目のデータラインに供給される第１データを抽出することを特徴とする，請求項１９に記載の発光表示装置。
【請求項２１】
前記二つのフィールドのうち，第２フィールド期間の間，
前記第１抽出部は前記第１ラインメモリに保存された第１データのうち，偶数番目のデータラインに供給される第１データを抽出し，
前記第２抽出部は前記第２メモリラインに保存された第２データのうち，奇数番目のデータラインに供給される第１データを抽出することを特徴とする，請求項２０に記載の発光表示装置。
【請求項２２】
前記二つのフィールドのうち，第１フィールド期間の間，
前記第１抽出部は前記第１ラインメモリに保存された第１データのうち，偶数番目のデータラインに供給される第１データを抽出し，
前記第２抽出部は前記第２ラインメモリに保存された第２データのうち，奇数番目のデータラインに供給される第１データを抽出することを特徴とする，請求項１９に記載の発光表示装置。
【請求項２３】
前記二つのフィールドのうち，第２フィールド期間の間，
前記第１抽出部は前記第１ラインメモリに保存された第１データのうち，奇数番目のデータラインに供給される第１データを抽出し，
前記第２抽出部は前記第２ラインメモリに保存された第２データのうち，偶数番目のデータラインに供給される第１データを抽出することを特徴とする，請求項２２に記載の発光表示装置。
【請求項２４】
前記整列部は，前記第１抽出部及び第２抽出部から抽出された前記第１データを交番的に配置して前記第２データを生成することを特徴とする，請求項１９に記載の発光表示装置。
【請求項２５】
前記画素回路各々は，前記走査線とデータ線に接続される駆動手段と；
前記二つの発光素子のうち，第１発光素子と前記駆動手段の間に接続される第１順次制御手段と；
前記二つの発光素子のうち，第２発光素子と前記駆動手段の間に接続される第２順次制御手段とを具備することを特徴とする，請求項１４に記載の発光表示装置。
【請求項２６】
第ｉ−１（ｉは自然数）光制御線は，第ｉ−１行ラインに位置される第１順次制御手段のうち，奇数番目の垂直ラインに位置される第１順次制御手段に接続され，第ｉ行ラインに位置される第２順次制御手段のうち，偶数番目の垂直ラインに位置される第２順次制御手段と接続されることを特徴とする，請求項２５に記載の発光表示装置。
【請求項２７】
第ｉ発光制御線は，第ｉ−１行ラインに位置される第１順次制御手段のうち，偶数番目の垂直ラインに位置される第１順次制御手段に接続され，第ｉ行ラインに位置される第２順次制御手段のうち，奇数番目の垂直ラインに位置される第２順次制御手段に接続されることを特徴とする，請求項２６に記載の発光表示装置。
【請求項２８】
第ｉ−１（ｉは自然数）発光制御線は，第ｉ−１行ラインに位置される第１順次制御手段のうち，偶数番目の垂直ラインに位置される第１順次制御手段に接続され，第１行ラインに位置される第２順次制御手段のうち，奇数番目の垂直ラインに位置される第２順次制御手段に接続されることを特徴とする，請求項２５に記載の発光表示装置。
【請求項２９】
第ｉ発光制御線は，第ｉ−１行ラインに位置される第１順次制御手段のうち，奇数番目の垂直ラインに位置される第１順次制御手段に接続され，第１行ラインに位置される第２順次制御手段のうち，偶数番目の垂直ラインに位置される第２順次制御手段に接続されることを特徴とする，請求項２８に記載の発光表示装置。
【請求項３０】
前記駆動手段は，前記走査線とデータ線に接続される第１トランジスタと；
前記データ線から供給されるデータ信号に対応される電圧を充電するためのストレージキャパシタと；
前記ストレージキャパシタに充電された電圧に対応される電流を供給するための第２トランジスタを具備することを特徴とする，請求項２５に記載の発光表示装置。
【請求項３１】
前記第１順次制御手段は，前記第２トランジスタと前記第１発光素子との間に設置される第３トランジスタを具備することを特徴とする，請求項３０に記載の発光表示装置。
【請求項３２】
前記第２順次制御手段は，前記第２トランジスタと前記第２発光素子との間に設置される第４トランジスタを具備することを特徴とする，請求項３０に記載の発光表示装置。
【請求項３３】
互いに異なる行ラインに位置された二つの発光素子と電気的に接続される制御回路を制御し，フレームの第１フィールド期間の間，互いに異なる行ラインに位置される発光素子をジグザグ状に発光させる段階と；
前記フレームの第２フィールド期間の間，前記第１フィールド期間の間発光されていない残りの発光素子を発光させる段階とを含むことを特徴とする，発光表示装置の駆動方法。
【請求項３４】
前記第１フィールド期間の間，前記互いに異なる行ラインのうち，一番目の行ラインに位置された発光素子のうち，奇数番目の垂直ラインに位置された発光素子と前記互いに異なる行ラインのうち，二番目の行ラインに位置された発光素子のうち，偶数番目の垂直ラインに位置された発光素子を発光させることを特徴とする，請求項３３に記載の発光表示装置の駆動方法。
【請求項３５】
前記第２フィールド期間の間，前記一番目の行ラインに位置された発光素子のうち，偶数番目の垂直ラインに位置された発光素子と前記二番目の行ラインに位置された発光素子のうち，奇数番目の垂直ラインに位置された発光素子を発光させることを特徴とする，請求項３４に記載の発光表示装置の駆動方法。
【請求項３６】
前記第１フィールド期間の間，前記互いに異なる行ラインのうち一番目の行ラインに位置する発光素子であって偶数番目の垂直ラインに位置する発光素子と，前記互いに異なる行ラインのうち二番目の行ラインに位置する発光素子であって奇数番目の垂直ラインに位置された発光素子とを発光させることを特徴とする，請求項３３に記載の発光表示装置の駆動方法。
【請求項３７】
前記第２フィールド期間の間，前記一番目の行ラインに位置された発光素子のうち奇数番目の垂直ラインに位置する発光素子と，前記二番目の行ラインに位置する発光素子のうち偶数番目の垂直ラインに位置する発光素子とを発光させることを特徴とする，請求項３６に記載の発光表示装置の駆動方法。
【発明の詳細な説明】
【技術分野】
【０００１】
本発明は，発光表示装置及び発光表示装置による駆動方法に関し，特に開口率を向上させた発光表示装置及び発光表示装置による駆動方法に関する。
【背景技術】
【０００２】
最近，陰極線管（Ｃａｔｈｏｄｅ  Ｒａｙ  Ｔｕｂｅ）の短所である重さと体積を減らすことが可能な各種フラットパネル装置の開発が活発に進められている。フラットパネル装置としては，液晶表示装置（Ｌｉｑｕｉｄ  Ｃｒｙｓｔａｌ  Ｄｉｓｐｌａｙ），電界放出表示装置（Ｆｉｅｌｄ  Ｅｍｉｓｓｉｏｎ  Ｄｉｓｐｌａｙ），フラズマ  ディスプレイ（Ｐｌａｓｍａ  Ｄｉｓｐｌａｙ  Ｐａｎｅｌ），または発光表示装置（Ｌｉｇｈｔ  Ｅｍｉｔｔｉｎｇ  Ｄｉｓｐｌａｙ）などを例示することができる。
【０００３】
上記フラットパネル装置の中でも発光表示装置は，複数の発光素子を具備している。上記発光素子は電子と正孔の再結合によって所定の光を生成する。このような，発光表示装置は速い応答速度を有するとともに低い消費電力で駆動されるという長所がある。
【０００４】
ここで，図１は従来の発光装置の概略的な構成を示した説明図である。また，図２は従来の発光表示装置の駆動方法の概略を示した波形図である。
【０００５】
図１を參照すると，従来の発光表示装置は，走査線Ｓ１１〜走査線Ｓ１ｎ及びデータ線Ｄ１１〜データ線Ｄ１ｍの交差領域に形成した画素４０を含む画素表示部３０と，走査線Ｓ１１〜走査線Ｓ１ｎを駆動するための走査駆動部２０と，データ線Ｄ１１〜データ線Ｄ１ｍを駆動するためのデータ駆動部１０を具備する。
【０００６】
上記走査駆動部２０は，走査信号を生成し，生成された走査信号を図２のように第１走査線Ｓ１１〜第ｎ走査線Ｓ１ｎに順次供給する。そして，走査駆動部２０は発光制御信号ＥＭＩを生成し，生成された発光性信号を第１発光制御線Ｅ１１〜第ｎ発光制御線Ｅ１ｎに順次供給する。
【０００７】
上記データ駆動部１０は，図２のように，走査信号が供給されるとき，データ線Ｄ１１〜データ線Ｄ１ｎにデータ信号ＤＳを供給する。図２に示した“ＤＳｘ”（ＤＳ１，ＤＳ２，…）のうち，“ＤＳ”はデータ信号を意味し，“ｘ”はｘ番目の水平ラインに供給されるデータ信号ＤＳを意味する。つまり，例えばＤＳ２は第２水平ラインに供給されるデータ信号ＤＳを示す。
【０００８】
画素表示部３０は外部から第１電源ＶＤＤ及び第２電源ＶＳＳの供給を受ける。ここで第１電源ＶＤＤ及び第２電源ＶＳＳは各々の画素４０に供給される。画素４０各々は制御回路４２と発光素子ＯＬＥＤを具備する。
【０００９】
制御回路４２はデータ信号ＤＳに対応される電流を発光素子に供給し，発光素子ＯＬＥＤは自身に供給される電流に対応される光を発生する。
【００１０】
図３は，従来の画素構造の概略的な構成を示す説明図である。図３を説明する際に，特に第１水平ラインに位置された画素４０を利用して画素の構造を説明する。
【００１１】
まず，図３を參照すると，従来の画素４０各々は，発光素子ＯＬＥＤと，第１データ線Ｄ１１，第１走査線Ｓ１１，及び第１発光制御線Ｅ１１に接続され，さらに発光素子ＯＬＥＤを発光させるための制御回路４２を具備する。
【００１２】
発光素子ＯＬＥＤのアノード電極は制御回路４２と接続し，カソード電極は第２電源ＶＳＳと接続する。このような発光素子ＯＬＥＤは，制御回路４２から供給される電流に対応される光を生成する。
【００１３】
制御回路４２は，第１トランジスタＭ１，第２トランジスタＭ２，第３トランジスタＭ３，及びストレ−ジキャパシタＣを具備する。
【００１４】
上記第１トランジスタＭ１は第１走査線Ｓ１１に走査信号が供給されるときにターンオンする。
【００１５】
第１トランジスタＭ１がターンオンすると第１データ線Ｄ１１に供給されるデータ信号がストレージキャパシタＣに供給される。ストレージキャパシタＣは第１トランジスタＭ１がターンオンするときデータ信号に対応される電圧を充電する。
【００１６】
第２トランジスタＭ２はストレージキャパシタＣに充電された電圧に対応する電流を第３トランジスタＭ３に供給する。第３トランジスタＭ３のゲート端子は，第１発光制御線Ｅ１に接続され，第１端子（ソース端子又はドレイン端子）は第２トランジスタＭ２の第２端子に接続される。そして，第３トランジスタＭ３の第２端子は発光素子ＯＬＥＤに接続される。
【００１７】
このような第３トランジスタＭ３は第１発光制御線Ｅ１１に供給される発光制御信号ＥＭＩに対応して第２トランジスタＭ２から発光素子ＯＬＥＤに流れる電流の供給時間を制御する。即ち，従来の画素４０は走査信号が供給されるときデータ信号に対応される電圧をストレージキャパシタＣに充電し，ストレージキャパシタＣに充電された電圧に対応される電流を発光素子ＯＬＥＤに供給することで，所定の光を発生させるようになる。そして，発光制御信号ＥＭＩを利用して発光素子ＯＬＥＤの発光時間を制御するようになる。
【００１８】
なお，従来の発光表示装置および当該発光表示装置の駆動方法を記載した文献としては，エレクトロルミネセンス（Ｅｌｅｃｔｒｏ  Ｌｕｍｉｎｅｓｃｅｎｃｅ）パネル及びその駆動方法を開示する下記特許文献１がある。
【００１９】
【特許文献１】韓国特許出願公開第２００２−００８７２３８号公報
【発明の開示】
【発明が解決しようとする課題】
【００２０】
しかしながら，従来の発光表示装置は各々の画素４０ごとに制御回路４２が設置される。ここで，制御回路４２には少なくとも二つ以上のトランジスタ及びキャパシタが含まれるため各々の画素４０で所定の面積を占め，これによって画素の開口率が下がるという問題が生じる。
【００２１】
また，従来の発光表示装置は各々の水平ラインごとに一つの走査線Ｓ及び発光制御線Ｅが形成される。このように水平ラインごとに走査線Ｓが形成されると走査線Ｓによって開口率がさらに減少される。
【００２２】
本発明は，上記問題点に鑑みてなされたものであり，本発明の目的は，開口率を向上させることが可能な発光表示装置及び発光表示装置による駆動方法を提供することである。
【課題を解決するための手段】
【００２３】
上記課題を解決するため，本発明の第１の観点によれば，行方向に形成される複数の走査線及び発光線と，列方向に形成される複数のデータ線と，上記走査線，発光制御線及びデータ線に電気的に接続される複数の画素回路を含む画素表示部を具備し，上記画素回路各々は互いに異なる二つの行ラインに位置される二つの発光素子に接続され，上記発光制御線は，上記二つの行ラインに位置される発光素子にジグザグ形態で接続される発光表示装置を提供する。
【００２４】
より好ましくは，上記走査線は，二つの行ラインごとに一つずつ設置され，上記画素回路に接続される。
【００２５】
また，上記発光制御線は，各々の行ラインごとに設置され，上記画素回路に接続される。
【００２６】
また，上記画素回路各々は，上記走査線とデータ線に接続される駆動手段と，上記二つの発光素子のうち，第１発光素子と上記駆動手段の間に接続される第１順次制御手段と，上記二つの発光素子のうち，第２発光素子と上記駆動手段の間に接続される第２順次制御手段を具備する。
【００２７】
上記課題を解決するために，本発明の別の観点によれば，複数の走査線及び発光制御線を駆動するための走査駆動部と，外部から供給される第１データを再整列して第２データを生成するためのマッピング部と，上記第２データを利用してデータ信号を生成し，複数のデータ線に上記データ信号を供給するためのデータ駆動部と，上記走査線，発光制御線及びデータ線と電気的に接続される複数の画素回路を含む画素表示部を具備し，上記マッピング部は互いに異なる二つの行ラインに位置される発光素子にジグザグの形態で上記データ信号が供給されるように上記第２データを生成する発光表示装置を提供する。
【００２８】
好ましくは，上記画素回路は，一つの走査線及び二つの発光制御線と電気的に接続される。
【００２９】
また，１フレームには少なくとも二つのフィールドに分けられ，発光表示装置は駆動する。
【００３０】
また，上記走査駆動部は，上記各々のフィールドごとに上記走査線に順次的に走査信号を供給する。
【００３１】
上記課題を解決するために，本発明の別の観点によれば，互いに異なる行ラインに位置された二つの発光素子と電気的に接続される制御回路を制御し，フレームの第１フィールド期間の間，互いに異なる行ラインに位置される発光素子をジグザグの形態に発光させる段階と，上記フレームの第２フィールド期間の間，上記第１フィールド期間の間発光されていない残りの発光素子を発光させる段階を含む発光表示装置の駆動方法を提供する。
【００３２】
より好ましくは，上記第１フィールド期間の間，上記互いに異なる行ラインのうち，一番目の行ラインに位置された発光素子のうち，奇数番目の垂直ラインに位置された発光素子と上記互いに異なる行ラインのうち，二番目の行ラインに位置された発光素子のうち，偶数番目の垂直ラインに位置された発光素子を発光させる。
【００３３】
また，上記第２フィールド期間の間，上記一番目の行ラインに位置された発光素子のうち，偶数番目の垂直ラインに位置された発光素子と上記二番目の行ラインに位置された発光素子のうち，奇数番目の垂直ラインに位置された発光素子を発光させる。
【００３４】
上記課題を解決するために，本発明の別の観点によれば，行方向に形成される複数の走査線及び発光線と；列方向に形成される複数のデータ線と；上記走査線，発光制御線，およびデータ線に電気的に接続される複数の画素回路を含む画素表示部とを具備し，上記画素回路各々は互いに異なる二つの行ラインに位置する二つの発光素子と接続し，上記発光制御線は，上記二つの行ラインに位置する発光素子にジグザグ形態で接続されることを特徴としている。
【００３５】
上記走査線は，二つの行ラインごとに一つずつ設置され，上記画素回路に接続されてもよく，上記発光制御線は，各々の行ラインごとに設置され，上記画素回路に接続されてもよい。
【００３６】
上記画素回路各々は，上記走査線とデータ線に接続される駆動手段と；上記二つの発光素子のうち，第１発光素子と上記駆動手段の間に接続される第１順次制御手段と；上記二つの発光素子のうち，第２発光素子と上記駆動手段の間に接続される第２順次制御手段とを具備してもよい。
【００３７】
第ｉ−１（ｉは自然数）発光制御線は，第ｉ−１行ラインに位置する第１順次制御手段のうち，奇数番目の垂直ラインに位置する第１順次手段と接続し，第１行ラインに位置する第２順次制御手段のうち，偶数番目の垂直ラインに位置する第２順次制御手段と接続してもよい。
【００３８】
第ｉ発光制御線は，第ｉ−１行ラインに位置する第１順次制御手段のうち，偶数番目の垂直ラインに位置する第１順次制御手段と接続し，第ｉ行ラインに位置する第２順次制御手段のうち，奇数番目の垂直ラインに位置する第２順次制御手段と接続してもよい。
【００３９】
第ｉ−１（ｉは自然数）発光制御線は，第ｉ−１行ラインに位置する第１順次制御手段のうち，偶数番目の垂直ラインに位置する第１順次制御手段に接続され，第ｉ行ラインに位置される第２順次制御手段のうち，奇数番目の垂直ラインに位置する第２順次制御手段と接続してもよい。
【００４０】
第ｉ発光制御線は，第ｉ−１行ラインに位置する第１順次制御手段のうち，奇数番目の垂直ラインに位置する第１順次制御手段と接続し，第ｉ行ラインに位置する第２順次制御手段のうち，偶数番目の垂直ラインに位置する第２順次制御手段と接続してもよい。
【００４１】
上記駆動手段は，上記走査線とデータ線とに接続する第１トランジスタと；上記データ線から供給されるデータ信号に対応する電圧を充電するためのストレージキャパシタと；上記ストレージキャパシタに充電された電圧に対応する電流を供給するための第２トランジスタとを具備してもよい。
【００４２】
上記第１順次制御手段は，上記第２トランジスタと上記第１発光素子との間に設置される第３トランジスタを具備してもよく，上記第２順次制御手段は，上記第２トランジスタと上記第２発光素子との間に設置される第４トランジスタを具備してもよい。
【００４３】
上記課題を解決するために，本発明の別の観点によれば，複数の走査線及び発光制御線を駆動するための走査駆動部と；外部から供給される第１データを再整列して第２データを生成するためのマッピング部と；上記第２データを利用してデータ信号を生成し，複数のデータ線に上記データ信号を供給するためのデータ駆動部と；上記走査線，発光制御線，及びデータ線と電気的に接続される複数の画素回路を含む画素表示部とを具備し，上記マッピング部は互いに異なる二つの行ラインに位置される発光素子にジグザグ状に上記データ信号が供給されるように上記第２データを生成することを特徴としている。
【００４４】
上記画素回路は，一つの走査線及び二つの発光制御線と電気的に接続してもよく，１フレームは少なくとも二つのフィールドに分けられ，上記画素回路は駆動してもよい。
【００４５】
上記走査駆動部は，上記各々のフィールドごとに上記走査線に順次的に走査信号を供給してもよい。
【００４６】
上記走査駆動部は，上記二つのフィールドのうち，第１フィールド期間の間，上記走査線に走査信号が順次的に供給される時，発光制御線のうち，奇数番目の発光制御線に順次的にターンオン信号を供給し，上記第２フィールド期間の間，上記走査線に走査信号が順次的に供給される時，発光制御線のうち，偶数番目の発光制御線に順次的に上記ターンオン信号を供給してもよい。
【００４７】
上記走査駆動部は，上記二つのフィールドのうち，第１フィールド期間の間，上記走査線に走査線信号が順次的に供給されるとき，発光制御線のうち，偶数番目の発光制御線に順次的にターンオン信号を供給し，上記第２フィールド期間の間，上記走査線に走査信号が順次的に供給されるとき，発光制御線のうち，奇数番目の発光制御線に順次的に上記ターンオン信号を供給してもよい。
【００４８】
上記ターンオン信号の供給期間は，上記各々のフィールド期間よりも短く設定されてもよい。
【００４９】
上記マッピング部は，各々一行ライン分の第１データを保存するための第１ラインメモリ及び第２ラインメモリと；上記第１ラインメモリに保存された第１データのうち，一部のデータを抽出するための第１抽出部と；上記第２ラインメモリに保存された第２データのうち，一部のデータを抽出するための第２抽出部と；上記第１抽出部及び第２抽出部から抽出されたデータを再整列して上記第２データを生成するための整列部とを具備してもよい。
【００５０】
上記二つのフィールドのうち，第１フィールド期間の間，上記第１抽出部は，上記第１ラインメモリに保存された第１データのうち，奇数番目のデータラインに供給される第１データを抽出し，上記第２抽出部は上記第２ラインメモリに保存された第２データのうち，偶数番目のデータラインに供給される第１データを抽出してもよい。
【００５１】
上記二つのフィールドのうち，第２フィールド期間の間，上記第１抽出部は上記第１ラインメモリに保存された第１データのうち，偶数番目のデータラインに供給される第１データを抽出し，上記第２抽出部は上記第２メモリラインに保存された第２データのうち，奇数番目のデータラインに供給される第１データを抽出してもよい。
【００５２】
上記二つのフィールドのうち，第１フィールド期間の間，上記第１抽出部は上記第１ラインメモリに保存された第１データのうち，偶数番目のデータラインに供給される第１データを抽出し，上記第２抽出部は上記第２ラインメモリに保存された第２データのうち，奇数番目のデータラインに供給される第１データを抽出してもよい。
【００５３】
上記二つのフィールドのうち，第２フィールド期間の間，上記第１抽出部は上記第１ラインメモリに保存された第１データのうち，奇数番目のデータラインに供給される第１データを抽出し，上記第２抽出部は上記第２ラインメモリに保存された第２データのうち，偶数番目のデータラインに供給される第１データを抽出してもよい。
【００５４】
上記整列部は，上記第１抽出部及び第２抽出部から抽出された上記第１データを交番的に配置して上記第２データを生成してもよい。
【００５５】
上記画素回路各々は，上記走査線とデータ線に接続される駆動手段と；上記二つの発光素子のうち，第１発光素子と上記駆動手段の間に接続される第１順次制御手段と；上記二つの発光素子のうち，第２発光素子と上記駆動手段の間に接続される第２順次制御手段とを具備してもよい。
【００５６】
第ｉ−１（ｉは自然数）光制御線は，第ｉ−１行ラインに位置される第１順次制御手段のうち，奇数番目の垂直ラインに位置される第１順次制御手段に接続され，第ｉ行ラインに位置される第２順次制御手段のうち，偶数番目の垂直ラインに位置される第２順次制御手段と接続されてもよい。
【００５７】
第ｉ発光制御線は，第ｉ−１行ラインに位置される第１順次制御手段のうち，偶数番目の垂直ラインに位置される第１順次制御手段に接続され，第ｉ行ラインに位置される第２順次制御手段のうち，奇数番目の垂直ラインに位置される第２順次制御手段に接続されてもよい。
【００５８】
第ｉ−１（ｉは自然数）発光制御線は，第ｉ−１行ラインに位置される第１順次制御手段のうち，偶数番目の垂直ラインに位置される第１順次制御手段に接続され，第１行ラインに位置される第２順次制御手段のうち，奇数番目の垂直ラインに位置される第２順次制御手段に接続されてもよい。
【００５９】
第ｉ発光制御線は，第ｉ−１行ラインに位置される第１順次制御手段のうち，奇数番目の垂直ラインに位置される第１順次制御手段に接続され，第１行ラインに位置される第２順次制御手段のうち，偶数番目の垂直ラインに位置される第２順次制御手段に接続されてもよい。
【００６０】
上記駆動手段は，上記走査線とデータ線に接続される第１トランジスタと；上記データ線から供給されるデータ信号に対応される電圧を充電するためのストレージキャパシタと；上記ストレージキャパシタに充電された電圧に対応される電流を供給するための第２トランジスタを具備してもよい。
【００６１】
上記第１順次制御手段は，上記第２トランジスタと上記第１発光素子との間に設置される第３トランジスタを具備してもよく，上記第２順次制御手段は，上記第２トランジスタと上記第２発光素子との間に設置される第４トランジスタを具備してもよい。
【００６２】
上記課題を解決するために，本発明の別の観点によれば，互いに異なる行ラインに位置された二つの発光素子と電気的に接続される制御回路を制御し，フレームの第１フィールド期間の間，互いに異なる行ラインに位置される発光素子をジグザグ状に発光させる段階と；上記フレームの第２フィールド期間の間，上記第１フィールド期間の間発光されていない残りの発光素子を発光させる段階とを含むことを特徴としている。
【００６３】
上記第１フィールド期間の間，上記互いに異なる行ラインのうち，一番目の行ラインに位置された発光素子のうち，奇数番目の垂直ラインに位置された発光素子と上記互いに異なる行ラインのうち，二番目の行ラインに位置された発光素子のうち，偶数番目の垂直ラインに位置された発光素子を発光させてもよい。
【００６４】
上記第２フィールド期間の間，上記一番目の行ラインに位置された発光素子のうち，偶数番目の垂直ラインに位置された発光素子と上記二番目の行ラインに位置された発光素子のうち，奇数番目の垂直ラインに位置された発光素子を発光させてもよい。
【００６５】
上記第１フィールド期間の間，上記互いに異なる行ラインのうち一番目の行ラインに位置する発光素子であって偶数番目の垂直ラインに位置する発光素子と，上記互いに異なる行ラインのうち二番目の行ラインに位置する発光素子であって奇数番目の垂直ラインに位置された発光素子とを発光させてもよい。
【００６６】
上記第２フィールド期間の間，上記一番目の行ラインに位置された発光素子のうち奇数番目の垂直ラインに位置する発光素子と，上記二番目の行ラインに位置する発光素子のうち偶数番目の垂直ラインに位置する発光素子とを発光させてもよい。
【発明の効果】
【００６７】
以上説明したように，本発明によれば，二つの水平ラインに位置された発光素子を一つの走査線を利用して制御するため，走査線の数を減らすことができ，製造費用を減少することが可能となり，画素の開口率を向上させることが可能となる。
【発明を実施するための最良の形態】
【００６８】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００６９】
図４〜図９ａを參照しながら，本発明の実施形態について詳細に説明する。図４は，本発明の実施形態にかかる発光表示装置の概略的な構成を示す説明図である。
【００７０】
図４を參照すると，本発明の実施形態による発光表示装置は走査線Ｓ１〜走査線Ｓｎ／２及びデータ線Ｄ１〜データ線Ｄｍとの交差領域に形成された画素回路１４０を含む画素表示部１３０と，走査線Ｓ１〜走査線Ｓｎ／２を駆動するための走査駆動部１２０と，データ線Ｄ１〜データ線Ｄｍを駆動するためのデータ駆動部１１０と，外部から供給される第１データｄａｔａ１を整列してデータ駆動部１１０に供給するためのマッピング部１５０を具備する。
【００７１】
走査駆動部１２０は，図７ａに示すように１フレームを少なくとも２フィールドに分けて，各々のフィールドの間，第１走査線Ｓ１〜第ｎ／２走査線Ｓｎに走査信号を順次供給する。
【００７２】
そして，走査駆動部１２０は第１フィールドから第１走査信号Ｓ１〜第ｎ／２走査線Ｓｎに走査信号が順次的に供給されるとき奇数番目の発光制御線Ｅ１，Ｅ３，…にターンオン信号（Ｌｏｗ信号）を走査信号が順次的に供給する。
【００７３】
ここで，奇数番目の発光制御線Ｅ１，Ｅ３，…に順次的に供給されるターンオン信号（Ｌｏｗ信号）は，１フィールド期間より短い期間の間に維持され，その他の期間の間にはターンオフ信号（ハイ信号；発光制御信号）を維持する。
【００７４】
また，走査駆動部１２０は第２フィールドから第１走査線Ｓ１〜第ｎ／２走査線Ｓｎ／２に走査信号が順次的に供給されるとき偶数番目の発光制御線Ｅ２，Ｅ４…にターンオン信号（Ｌｏｗ信号）を順次的に供給する。ここで，偶数番目の発光制御線Ｅ２，発光制御線Ｅ４…に供給されるタン−オン信号（Ｌｏｗ信号）は１フィールドの期間より短い期間の間，維持し，その他の期間の間にはターンオフ信号（ハイ信号；発光制御信号）を維持する。
【００７５】
一方，図７ａに示す駆動波形は画素回路１４０に含まれるトランジスタがＰ−タイプに形成されるときに供給される。なお，画素回路１４０に含まれるトランジスタがＮ−タイプに形成された場合，駆動波形は図７ｂのように設定される。
【００７６】
ここで，図７ｂに示された駆動波形は図７ａに示した駆動波形に比べて極性のみが反転するだけで，供給期間などは，ほぼ同じように設定される。
【００７７】
そして，本実施形態では第１フィールドから偶数番目の発光制御線Ｅ２，Ｅ４…にターンオン信号を順次的に供給し，第２フィールドから奇数番目の発光制御線Ｅ１，Ｅ３，…にターンオン信号を順次的に供給することができる。
【００７８】
マッピング部１５０は外部から供給される第１データを再整列して第２データを生成し，生成された第２データをデータ駆動部１１０に供給する。マッピング部１５０の詳細な動作過程は後述する。
【００７９】
データ駆動部１１０はマッピング部１５０から供給される第２データをデータ信号に変換し，データ信号を走査信号が供給される度にデータ線Ｄ１〜Ｄｍに供給する。
【００８０】
画像表示部１３０は外部から第１電源ＶＤＤ及び第２電源ＶＳＳの供給を受ける。第１電源ＶＤＤは制御回路１４２に供給され，第２電源ＶＳＳは発光素子ＯＬＥＤのカソード陽極に供給される。
【００８１】
そして，各々の制御回路１４２は少なくとも二つの水平ラインに位置する二つの発光素子ＯＬＥＤに接続し，二つの発光素子ＯＬＥＤを順次的に発光させる。即ち，本実施形態において制御回路１４２は少なくとも二つの水平ラインに位置する発光素子ＯＬＥＤを制御する。
【００８２】
図５は図４に示す画素回路の概略的な構成を詳細に示す説明図である。
【００８３】
図６ａは図５に図示した駆動手段及び順次駆動制御手段の概略的な構成を詳細に示した説明図である。ここで，図６ａでは説明の便宜のためトランジスタをＰ−タイプの場合を例に挙げて図示したが，本実施の形態では，かかる例に限定されず，例えば，トランジスタはＮ−タイプに形成される場合でも可能である。
【００８４】
図５を參照すれば，本発明の実施形態による画素回路１４０を各々互いに異なる水平ラインに位置された少なくとも二つの発光素子ＯＬＥＤと，二つの発光素子ＯＬＥＤを制御するための制御回路１４２を具備する。
【００８５】
制御回路１４２は，駆動手段１４４，第１順次制御手段１４６，および第２順次制御手段１４８を具備する。
【００８６】
駆動手段１４４は，走査線Ｓ及びデータ線Ｄに接続されるように設置される。このような駆動手段１４４は走査線Ｓから走査信号が供給されるときにデータ線Ｄから供給されるデータ信号の供給を受ける。
【００８７】
そして，駆動手段１４４は，自身に供給されたデータ信号に対応する電流を第１順次制御手段１４６及び第２順次制御手段１４８に供給する。このため，駆動手段１４４は図６ａに示すように第１トランジスタＭ１，第２トランジスタＭ２，およびストレージキャパシタＣを具備する。
【００８８】
第１トランジスタＭ１は，走査線Ｓに走査信号が供給されるときターンオンする。第１トランジスタＭ１がターンオンするとデータ線Ｄに供給されるデータ信号がストレージキャパシタＣに供給される。
【００８９】
この時，ストレージキャパシタＣはデータ信号に対応する電圧を充電する。第２トランジスタＭ２はストレージキャパシタＣに充電された電圧に対応する電流を第１順次制御手段１４６及び第２順次制御手段１４８に供給する。
【００９０】
第１順次制御手段１４６は第ｉ−１水平ライン（奇数番目の水平ライン）に位置する発光素子ＯＬＥＤに接続される。このような第１制御手段１４６は自身に接続された発光制御線Ｅからターンオン信号が供給されるとき駆動手段１４４から供給される電流を発光素子ＯＬＥＤに供給する。このため，第１制御手段１４６は発光素子ＯＬＥＤと駆動手段１４４の間に接続された第３トランジスタＭ３を具備する。
【００９１】
第２順次制御手段１４８は，第１水平ライン（偶数番目の水平ライン）に位置する発光素子ＯＬＥＤに接続する。このように第２制御手段１４８は自身に接続された発光制御線Ｅからターンオン信号が供給される時，駆動手段１４４から供給される電流を発光素子ＯＬＥＤに供給する。このため，第２制御手段１４８は発光素子ＯＬＥＤと駆動手段１４４の間に接続された第４トランジスタＭ４を具備する。
【００９２】
一方，本実施形態において各々の発光制御線Ｅをジグザグ状に発光素子ＯＬＥＤと接続する。これを詳細に説明すると，第ｉ−１（ｉは自然数）番目の発光制御Ｅｉ−１はｉ−１番目の水平ラインに位置する第１順次制御手段１４６のうち，奇数番目の垂直ラインに位置する第１順次制御手段１４６と接続する。
【００９３】
そして，第ｉ−１番目発光制御線Ｅｉ−１はｉ番目の水平ラインに位置する第２順次制御手段１４８のうち偶数番目の垂直ラインに位置する第２順次制御手段１４８と接続する。即ち，ｉ−１番目の発光制御線Ｅｉ−１はｉ−１番目の水平ラインに位置する第１順次制御手段１４６とｉ番目の水平ラインに位置する第２順次制御手段１４８とジグザグ状に接続する。
【００９４】
すると，ｉ−１番目の発光制御線Ｅｉ−１にターンオン信号が供給されるとき発光素子ＯＬＥＤがジグザグの形態で発光し，これによって水平ライン段位で縞模様のノイズが発生するのを防止することができる。
【００９５】
実質的に図６ｂは，ｉ番目の発光制御線Ｅｉ及びｉ＋１番目の発光制御線の接続過程のみを示したもので，ジグザグの形態で接続する過程が詳細に示されている。
【００９６】
一方，本実施形態では第ｉ−１番目の発光制御線Ｅｉ−１は，ｉ−１番目水平ラインに位置する第１順次制御手段１４６のうち，偶数番目の垂直ラインに位置する第１順次制御手段１４６と，ｉ番目の水平ラインに位置する第２順次制御手段１４８のうち，奇数番目の垂直ラインに位置する第２順次制御手段１４８と接続し得る。
【００９７】
１番目の発光制御線はＥｉは，ｉ−１番目の水平ラインに位置する第１順次制御手段１４６のうち，偶数番目の垂直ラインに位置する第１順次制御手段１４６に接続される。そして，ｉ番目発光制御線はＥｉは，ｉ番目の水平ラインに位置される第２順次制御手段１４８のうち，奇数番目の垂直ラインに位置する第２順次制御手段１４８に接続される。
【００９８】
即ち，ｉ番目発光制御線Ｅｉは，ｉ−１番目の水平ラインに位置される第１順次制御手段１４６とｉ番目の水平ラインに位置する第２順次制御手段１４８とジグザグの形態で接続される。
【００９９】
すると，ｉ番目の発光制御線Ｅｉにターンオン信号が供給されるとき，発光素子ＯＬＥＤがジグザグの形態で発光し，これによって縞模様のノイズが発生するのを防止することができる。
【０１００】
一方，本発明ではｉ番目の発光制御線Ｅｉは，ｉ−１番目の水平ラインに位置される第１順次制御手段１４６のうち，奇数番目の垂直ラインに位置される第１順次制御手段１４６とｉ番目の水平ラインに位置される第２順次制御手段１４８のうち，偶数番目の垂直ラインに位置される第２順次制御手段１４８に接続されうる。
【０１０１】
図７ａは，本発明の実施形態による発光表示装置の駆動方法を示した図である。
【０１０２】
図６ａ及び図７ａを参照して動作過程を詳細に説明すると，まず第１フィールドの期間，第１走査線Ｓ１〜第ｎ／２走査線ＳＮ／２に走査信号が順次的に供給される。
【０１０３】
ここで，第ｉ−１走査線Ｓｉ−１に走査信号が供給されると駆動手段１４４に含まれた第１トランジスタＭ１がターンオンされる。
【０１０４】
この時，データ駆動部１１０は第ｉ−１水平ライン及び第ｉ水平ラインに位置された発光素子ＯＬＥＤに供給されるデータ信号をデータ線Ｄ１に供給する。
【０１０５】
実際に，データ駆動部１１０は奇数番目データ線Ｄ１，Ｄ３…にｉ−１番目水平ライン（またはｉ番目水平ライン）に位置する発光素子ＯＬＥＤに供給されたデータ信号を供給し，偶数番目のデータ線Ｄ２，Ｄ４…のｉ番目水平ライン（またはｉ−１番目水平ライン）に位置する発光素子ＯＬＥＤに供給されるデータ信号を供給する。
【０１０６】
データ線Ｄに供給されたデータ信号はストレージキャパシタＣに供給される。そると，ストレージキャパシタＣにデータ信号に対応される電圧が充電される。ストレージキャパシタＣにデータ信号に対応する電圧が充電された後，第２トランジスタＭ２はデータ信号に対応する電流を第３トランジスタＭ３及び第４トランジスタＭ４に供給する。この時ｉ−１番目の発光制御線Ｅｉ―１にターンオン信号が供給される。
【０１０７】
すると，ｉ−１番目の発光制御線Ｅｉ―１とジグザグの形態で接続された第３トランジスタＭ３または第４トランジスタＭ４がターンオンされながら所定の光が発光素子ＯＬＥＤから生成される。
【０１０８】
以後，第２フィールドの期間，第１走査線Ｓ１〜第ｎ／２走査線ＳＮ／２に走査信号が順次的に供給される。
【０１０９】
ここで，第ｉ−１走査線Ｓｉ−１に走査信号が供給されると駆動手段１４４に含まれた第１トランジスタＭ１がターンオンする。この時データ駆動部１１０は第ｉ−１水平ライン及び第ｉ水平ラインに位置された発光素子ＯＬＥＤに供給されるデータ信号をデータ線Ｄ１に供給する。
【０１１０】
実際に，データ駆動部１１０は奇数番目データ線Ｄ１，Ｄ３…にｉ−１番目水平ライン（またはｉ−１番目水平ライン）に位置された発光素子ＯＬＥＤに供給されるデータ信号を供給し，偶数番目のデータ線Ｄ２，Ｄ４…にｉ−１番目水平ライン（またはｉ番目水平ライン）位置された発光素子ＯＬＥＤに供給されるデータ信号を供給する。
【０１１１】
データ線Ｄに供給されたデータ信号はストレージキャパシタＣに供給される。すると，ストレージキャパシタＣにデータ信号に対応する電圧が充電される。
【０１１２】
ストレージキャパシタＣにデータ信号に対応される電圧が充電されたあと，第２トランジスタＭ２はデータ信号に対応される電流を第３トランジスタＭ３及び第４トランジスタＭ４に供給する。この時ｉ番目の発光制御線Ｅｉにターンオン信号が供給される。
【０１１３】
すると，ｉ番目の発光制御線Ｅｉとジグザグの形態で接続された第４トランジスタＭ４または第３トランジスタＭ３がターンオンされながら所定の光が発光素子ＯＬＥＤから生成される。
【０１１４】
即ち，本実施形態では１フレームを２フィールドに分け，各々のフィールドの期間で二つの水平ラインに位置された発光素子ＯＬＥＤがジグザグの形態で発光されるように制御することによって画像をディスプレイ（又は，表示）する。
【０１１５】
この時，二つの水平ラインに位置された発光素子ＯＬＥＤはジグザグの形態で互いに異なる時間の間，駆動するが，人間の目には二つの水平ラインに位置した発光素子ＯＬＥＤが同時に駆動するように認識されるため，結果的に画像を正しくディスプレイすることができる。
【０１１６】
図８は図４に示されたマッピング部を詳細に示したブロック図である。図８を参照すると，本実施形態のマッピング部１５０は第１ラインメモリ１５１，第２ラインメモリ１５２，第１抽出部１５３，第２抽出部１５４，および整列部１５６を具備する。
【０１１７】
第１ラインメモリ１５１及び第２ラインメモリ１５２は外部から供給される第１データを水平ライン単位で臨時的に保存する。例えば，第１ラインメモリ１５１は第ｉ−１水平ラインに供給される第１データを保存し，第２ラインメモリ１５２は第ｉ水平ラインに供給される第２データを保存する。
【０１１８】
第１抽出部１５３は第１ラインメモリ１５１から奇数番目の垂直ラインに供給されるデータ（または偶数番目の垂直ラインに供給されるデータ）を抽出する。
【０１１９】
第２抽出部１５４は第２ラインメモリ１５２から偶数番目の垂直ラインに供給されるデータ（または奇数番目の垂直ラインに供給されるデータ）を抽出する。実際に，第２抽出部１５４は第１抽出１５３から奇数番目の垂直ラインに供給するデータが抽出される場合，偶数番目の垂直ラインに供給されたデータを抽出し，第１抽出１５３から偶数番目の垂直ラインに供給されたデータが抽出される場合，奇数番目の垂直ラインに供給されるデータを抽出する。
【０１２０】
整列部１５６は第１抽出部１５３及び第２抽出部１５４から抽出されたデータを利用して第２データを生成し，生成された第２データをデータ駆動部１１０に供給する。
【０１２１】
上記動作過程を，図９ａ及び図９ｂを参照しながら詳細に説明すると，まず，第１フィールドの期間のうち，特定期間の間，図９ａに示すように，第１ラインメモリ１５１は第ｉ−１水平ラインに供給されるデータを保存し，第２ラインメモリ１５２は第ｉ水平ラインに供給されるデータを保存する。
【０１２２】
この時，第１抽出部１５３は第１ラインメモリ１５１から奇数番目の垂直ライン（即ち，奇数番目のデータライン）に供給されるデータを抽出する。
【０１２３】
つまり，第１抽出部１５３はＤ（ｉ−１）１，Ｄ（ｉ−１）３，Ｄ（ｉ−１）５，…，のデータを抽出する。なお，上記Ｄ（ｘ）ｙについて，Ｄはデータを意味し，（ｘ）は水平ライン，そしてｙは垂直ラインを意味する。
【０１２４】
第２抽出部１５４は第２ラインメモリ１５２から偶数垂直ライン（即ち，偶数番目のデータライン）に供給されるデータを抽出する。つまり，第２抽出部１５４はＤ（ｉ）２，Ｄ（ｉ）４，Ｄ（ｉ）６，…，のデータを抽出する。
【０１２５】
第１抽出部１５３及び第２抽出部１５４からデータが抽出された後，整列部１５６は第１抽出部１５３及び第２抽出部１５４から抽出されたデータを整列して第２データを生成する。
【０１２６】
ここで，整列部１５６は第１抽出部１５３から抽出されたデータ及び第２抽出部１５４から抽出されたデータを交番的に配置し，第２データを生成する。整列部１５６から生成された第２データはデータ駆動部１１０に供給される。
【０１２７】
すると，データ駆動部１１０は第２データを利用してデータ信号を生成し，生成されたデータ信号をデータ線Ｄに供給する。実際に第１フィールド期間では，マッピング部は上記した動作を反復しながら第２データをデータ駆動部１１０に供給することでジグザグの形態で発光する発光素子ＯＬＥＤに所望のデータ信号を供給する。
【０１２８】
第２フィールド期間のうち，特定期間の間，図９ｂに示すように，第１ラインメモリ１５１は第ｉ−１水平ラインに供給されるデータを保存し，第２ラインメモリ１５２は第ｉ水平ラインに供給されるデータを保存する。
【０１２９】
第１抽出部１５３は第１ラインメモリ１５１から偶数番目の垂直ラインに供給されるデータを抽出する。
【０１３０】
つまり，第１抽出部１５３はＤ（ｉ−１）２，Ｄ（ｉ−１）４，Ｄ（ｉ−１）６，…，のデータを抽出する。
【０１３１】
第２抽出部１５４は第２ラインメモリ１５２から奇数番目の垂直ラインに供給されるデータを抽出する。つまり，第２抽出部１５４はＤ（ｉ）１，Ｄ（ｉ）３，Ｄ（ｉ）５，…，のデータを抽出する。
【０１３２】
第１抽出部１５３及び第２抽出部１５４からデータが抽出された後，整列部１５６は第１抽出部１５３及び第２抽出部１５４から抽出されたデータを整列して第２データを生成する。ここで，整列部１５６は第１抽出部１５３から抽出されたデータ及び第２抽出部１５４から抽出されたデータを時間の経過とともに規則正しく変わりながら交番的に配置し，第２データを生成する。
【０１３３】
整列部１５６から生成された第２データはデータ駆動部１１０に供給される。すると，データ駆動部１１０は第２データを利用してデータ信号を生成し，生成されたデータ信号をデータ線Ｄに供給する。実際に第２フィールド期間の間，マッピング部は上記した動作を反復しながら第２データをデータ駆動部１１０に供給することでジグザグの形態で発光する発光素子ＯＬＥＤに望みのデータ信号を供給する。
【０１３４】
一方，本実施形態では，第１フィールド期間の間図９ａのようにデータをマッピングし，第２フィールド期間の間図９ｂのようにデータをマッピングすることができる。
【０１３５】
以上説明したように，本実施形態によれば，二つの水平ラインに位置された発光素子を一つの走査線を利用して制御するため，走査線の数を減らすことができ，これに従って製造費用を減少することと同時に開口率を向上させられる。
【０１３６】
また，本実施形態では二つの水平ラインに位置された発光素子を一つの制御回路を利用して１フレームの期間の間に順次駆動するため，開口率をさらに向上させることができる。
【０１３７】
以上，添付の図を参照しながら本発明の好適な実施例について説明したが，上記説明は単に本発明を説明するための目的であり，意味限定や請求の範囲に記載された本発明の範囲を制限するためのものではない。したがって，上記説明によって当業者であれば，本発明の技術思想を逸脱しない範囲で各種の変更および修正が可能であることはいうまでもない。したがって，本発明の技術的保護範囲は明細書の詳細な説明に記載の内容に限定されず，特許請求の範囲によって決められるべきである。
【図面の簡単な説明】
【０１３８】
【図１】従来の発光表示装置の概略的な構成を示した説明図である。
【図２】従来の発光表示装置の駆動方法を示した波形図である。
【図３】図１に示した画素の構造を詳細に示した回路図である。
【図４】本実施形態による発光表示装置の概略的な構成を示した説明図である。
【図５】図４に図示した画素回路を概略的に示した説明図である。
【図６ａ】図５に示した駆動手段及び順次制御手段を詳細に示した回路図である。
【図６ｂ】図５に示した駆動手段及び順次制御手段を詳細に示した回路図である。
【図７ａ】本実施形態による発光表示装置の駆動方法を示した波形図である。
【図７ｂ】本実施形態による発光表示装置の駆動方法を示した波形図である。
【図８】図４に示すマッピング部の概略的な構成を示したブロック図である。
【図９ａ】図８に示すマッピング部の動作の概略を示した説明図である。
【図９ｂ】図８に示すマッピング部の動作の概略を示した説明図である。
【符号の説明】
【０１３９】
１０，１１０    データ駆動部
２０，１２０    走査駆動部
３０，１３０    画素表示部
４０            画素
４２，１４２    制御回路
１４０          画素回路
１４４          駆動手段
１４６，１４８  順次制御手段
１５０          マッピング部
１５１，１５２  ラインメモリ
１５３，１５４  抽出部
１５６          整列部
【図１】
2006091872.tif 000003
【図２】
2006091872.tif 000004
【図３】
2006091872.tif 000005
【図４】
2006091872.tif 000006
【図５】
2006091872.tif 000007
【図６ａ】
2006091872.tif 000008
【図６ｂ】
2006091872.tif 000009
【図７ａ】
2006091872.tif 000010
【図７ｂ】
2006091872.tif 000011
【図８】
2006091872.tif 000012
【図９ａ】
2006091872.tif 000013
【図９ｂ】
2006091872.tif 000014